(57)【要約】【課題】  音響信号処理装置において、入力ポートに接続する機器を変更した場合の、設定変更の手間を軽減する。【解決手段】  外部から音響信号を入力する入力ポートと、その入力ポートから入力される音響信号を処理する信号処理チャンネルとを備える音響信号処理装置において、入力ポートに接続する機器を特定し、その特定した機器と対応づけて所定の記憶手段にプリセットとして記憶されているパラメータの値を、上記入力ポートが備える信号処理手段における信号処理に使用するパラメータの値として設定するようにした（Ｓ２５，Ｓ２７）。【選択図】        図８
2016066905.tif 000002
【特許請求の範囲】
【請求項１】
外部から音響信号を入力する入力ポートと、前記入力ポートから入力される音響信号を処理する信号処理チャンネルとを備える音響信号処理装置であって、
前記入力ポートに接続される機器を特定する特定手段と、
前記特定手段が特定した機器と対応づけて所定の記憶手段に記憶されているパラメータの値を、前記入力ポートが備える信号処理手段における信号処理に使用するパラメータの値として設定するパラメータ設定手段とを備えることを特徴とする音響信号処理装置。
【請求項２】
請求項１に記載の音響信号処理装置であって、
前記入力ポートと、該入力ポートに接続する機器との対応関係を示す回線表のデータの入力を受け付ける受付手段を備え、
前記特定手段は、前記受付手段が入力を受け付けた回線表のデータに基づき、前記入力ポートに接続する機器を特定し、
前記パラメータ設定手段は、前記受付手段が前記回線表のデータの入力を受け付けた場合に、自動的に、前記設定を実行することを特徴とする音響信号処理装置。
【発明の詳細な説明】
【技術分野】
【０００１】
この発明は、入力ポートから入力される音響信号を処理する信号処理チャンネルを備える音響信号処理装置に関する。
【背景技術】
【０００２】
従来から、外部から音響信号を入力する入力ポートと、その入力ポートから入力される音響信号を処理する信号処理チャンネルとを備えるデジタルミキサ等の音響信号処理装置が知られている。
このような音響信号処理装置については、例えば非特許文献１に記載されている。
【先行技術文献】
【非特許文献】
【０００３】
【非特許文献１】「DIGITAL  MIXING  CONSOLE  CL5  CL3  CL1  取扱説明書」，ヤマハ株式会社，２０１２年
【発明の概要】
【発明が解決しようとする課題】
【０００４】
ところで、デジタルミキサにおいては、入力ポートにマイク等の音響信号の供給源となる機器を接続して音響信号を入力し、入力パッチによってその入力ポートに接続された１又は複数の入力チャンネル（ｃｈ）に、その入力ポートから入力される音響信号を供給して処理させることがしばしば行われる。
【０００５】
この場合において、従来のデジタルミキサでは、入力する音響信号の特性調整は、実質的に全て入力ｃｈで行っていた。そして、ユーザは、入力ｃｈが備える信号処理部のパラメータを適当な値に設定することにより、入力する音響信号の周波数特性やレベル等を楽音のジャンルや用途等に応じて調整した、所望の特性の音響信号を得るようにしていた。
【０００６】
このため、一旦所望の特性の音響信号を得られるように入力ｃｈが備える信号処理部のパラメータを設定しても、その後音響信号の入力に使用する機器を変更すると、変更後の機器の特性を加味して再度パラメータを設定し直さなければならず、手間がかかるという問題があった。
このような問題は、デジタルミキサ以外の音響信号処理装置においても同様に発生し得るものである。
【０００７】
この発明は、このような問題を解決し、入力ポートから入力される音響信号を処理する信号処理チャンネルを備える音響信号処理装置において、入力ポートに接続する機器を変更した場合の、設定変更の手間を軽減することを目的とする。
【課題を解決するための手段】
【０００８】
この発明は、上記の目的を達成するため、外部から音響信号を入力する入力ポートと、上記入力ポートから入力される音響信号を処理する信号処理チャンネルとを備える音響信号処理装置において、上記入力ポートに接続される機器を特定する特定手段と、上記特定手段が特定した機器と対応づけて所定の記憶手段に記憶されているパラメータの値を、上記入力ポートが備える信号処理手段における信号処理に使用するパラメータの値として設定するパラメータ設定手段とを設けたものである。
このような音響信号処理装置において、上記入力ポートと、その入力ポートに接続する機器との対応関係を示す回線表のデータの入力を受け付ける受付手段を設け、上記特定手段が、上記受付手段が入力を受け付けた回線表のデータに基づき、上記入力ポートに接続する機器を特定し、上記パラメータ設定手段が、上記受付手段が上記回線表のデータの入力を受け付けた場合に、自動的に、上記設定を実行するようにするとよい。
また、この発明は、上記のように装置として実施する他、システム、方法、プログラム、記録媒体等、任意の態様で実施することができる。
【発明の効果】
【０００９】
以上のような構成によれば、入力ポートから入力される音響信号を処理する信号処理チャンネルを備える音響信号処理装置において、入力ポートに接続する機器を変更した場合の、設定変更の手間を軽減することができる。
【図面の簡単な説明】
【００１０】
【図１】この発明の音響信号処理装置の実施形態であるデジタルミキサのハードウェア構成を示す図である。
【図２】図１に示したデジタルミキサの波形Ｉ／Ｏにおける音響信号の入出力及びＤＳＰで実行される信号処理の機能構成を示す図である。
【図３】入力ポート及び入力ｃｈのより詳細な構成を示す図である。
【図４】デジタルミキサが記憶するプリセットの例を示す図である。
【図５】プリセット設定画面の例を示す図である。
【図６】プリセット設定画面においてＯＫボタンが押下された場合に図１に示したデジタルミキサのＣＰＵが実行する処理のフローチャートである。
【図７】回線表のデータ例を示す図である。
【図８】記憶している回線表のデータが更新された場合に図１に示したデジタルミキサのＣＰＵが実行する処理のフローチャートである。
【図９】入力ポートに接続する機器を指定するための画面の例を示す図である。
【発明を実施するための形態】
【００１１】
以下、この発明を実施するための形態を図面に基づいて具体的に説明する。
まず、図１に、この発明の音響信号処理装置の実施形態であるデジタルミキサのハードウェア構成を示す。
図１に示すように、デジタルミキサ１０は、ＣＰＵ１１、メモリ１２、通信Ｉ／Ｆ（インタフェース）１３、表示器１４、操作子１５、波形Ｉ／Ｏ１６、ＤＳＰ（信号処理部）１７を備え、これらがシステムバス１８により接続されている。
【００１２】
このうち、ＣＰＵ１１は、デジタルミキサ１０の動作を統括制御する制御手段であり、メモリ１２に記憶された所要の制御プログラムを実行することにより、後述するパラメータの設定機能をはじめとする種々の制御機能を実現する。
メモリ１２は、ＣＰＵ１１が実行する制御プログラムを始め、電源を切っても残しておくべきデータを記憶する書き換え可能な不揮発性記憶手段と、ＣＰＵ１１のワークメモリとして使用する記憶領域とを備える記憶手段である。
【００１３】
通信Ｉ／Ｆ１３は、他の装置と通信するためのインタフェースである。通信は、ネットワーク経由でも、直接接続によって行ってもよい。また、有線無線を問わず、任意の通信経路を採用可能である。
表示器１４は、デジタルミキサ１０が使用するパラメータの値をはじめ、デジタルミキサ１０の設定状態や動作状態を示す画面を表示する表示手段である。この画面は、ユーザが操作可能なＧＵＩ（グラフィカルユーザインタフェース）を含み、その表示内容は、ＣＰＵ１１により制御可能である。
【００１４】
操作子１５は、デジタルミキサ１０に対する操作を受け付けるためのものであり、種々のキー、ボタン、ロータリーエンコーダ、ノブ、スライダ等によって構成することができる。また、タッチディスプレイ等を用いて表示器１４と操作子１５とを一体に構成してもよい。
波形Ｉ／Ｏ１６は、デジタルミキサ１０の外部との間で音響信号を入出力するためのインタフェースである。
ＤＳＰ１７は、波形Ｉ／Ｏ１６から入力される音響信号に対し、複数の信号処理ｃｈでミキシングやイコライジングを始めとする種々の処理を行い、その結果を波形Ｉ／Ｏ１６に供給して外部へ出力させる、音響信号処理手段である。
【００１５】
以上のデジタルミキサ１０において特徴的な点は、入力ポートが備える信号処理部が信号処理に用いるパラメータの値の設定に関する点である。以下、この点について説明する。
まず、図２に、波形Ｉ／Ｏ１６における音響信号の入出力及びＤＳＰ１７で実行される信号処理の機能構成をより詳細に示す。図２に示す各部の機能のうち、端子と対応する部分以外は、ソフトウェアを用いて実現しても、ハードウェアを用いて実現しても、それらの組み合わせでもよい。
【００１６】
図２に示す構成のうち、入力ポート１１０及び出力ポート１７０の機能が、波形Ｉ／Ｏ１６における音響信号の入出力機能と対応し、入力ポート１１０の一部、入力パッチ１２０、入力ｃｈ１３０、ミキシングバス１４０、出力ｃｈ１５０及び出力パッチ１６０の機能が、ＤＳＰ１７における信号処理機能と対応する。
【００１７】
これらのうち入力ポート１１０は、波形Ｉ／Ｏ１６の所定の入力端子（又は入出力端子）に接続された外部装置から音響信号を入力する機能を備える。外部装置から供給される音響信号がアナログ信号である場合、これをアナログデジタル（ＡＤ）変換して、デジタル波形データとして入力するする機能も備える。デジタルミキサ１０は、入力ポート１１０を複数（例えば４８個）備える。
【００１８】
なお、１つの端子から複数系統の音響信号を入力可能であれば、複数の入力ポート１１０と１つの入力端子とが対応する場合がある。また、１つの端子から音響信号の入出力が可能であれば、入力ポート１１０及び出力ポート１７０の双方と、１つの入出力端子とが対応する場合がある。
また、図３を用いて後述するように、各入力ポート１１０は、入力ポート１１０から入力する音響信号を処理する信号処理手段として、ＤＳＰ１７により実現される信号処理手段も備える。
【００１９】
入力パッチ１２０は、入力ポート１１０のそれぞれと、０を含む任意の数の入力ｃｈ１３０とを結線し、各入力ポート１１０から入力される音響信号を、結線先の入力ｃｈ１３０における信号処理に供する機能を備える。複数の入力ポート１１０を１つの入力ｃｈ１３０に結線することはできない。
【００２０】
入力ｃｈ１３０は、入力パッチ１２０により結線された入力ポート１１０から入力する音響信号に対し、イコライジングやレベル調整等の信号処理を行い、処理後の音響信号をミキシングバス１４０に対して出力する機能を備える信号処理ｃｈである。ミキシングバス１４０の各系統への出力オンオフは系統毎に任意に切り替えることができる。デジタルミキサ１０は、入力ｃｈ１３０を複数（例えば４８個）備える。
【００２１】
ミキシングバス１４０は、複数系統（例えば２４系統）のバスを備え、各系統毎に、各入力ｃｈ１３０から入力する音響信号をミキシングして、対応する出力ｃｈ１５０における信号処理に供する機能を備える。
出力ｃｈ１５０は、ミキシングバス１４０のうち対応する系統のバスから供給される音響信号に対し、イコライジングやレベル調整等の信号処理を行って出力する機能を備える。デジタルミキサ１０は、出力ｃｈ１５０を、ミキシングバス１４０の系統数と同じだけ備える。
【００２２】
出力パッチ１６０は、出力ｃｈ１５０のそれぞれと、０を含む任意の数の出力ポート１７０とを結線し、各出力ｃｈ１５０における処理結果の音響信号を、結線先の出力ポート１７０に供給して出力させる機能を備える。複数の出力ｃｈ１５０を１つの出力ポート１７０に結線することはできない。
【００２３】
出力ポート１７０は、波形Ｉ／Ｏ１６の所定の出力端子（又は入出力端子）に接続された外部装置へ音響信号を出力する機能を備える。このとき、デジタル波形データをデジタルアナログ（ＤＡ）変換して、アナログ音響信号として出力することができるようにしてもよい。デジタルミキサ１０は、出力ポート１７０を複数（例えば４８個）備える。
以上の各部における信号処理及び結線は、デジタルミキサ１０の動作に反映させるものとしてメモリ１２に記憶された所定のパラメータの値に従って実行されるものである。
【００２４】
次に、図３に、入力ポート１１０及び入力ｃｈ１３０のより詳細な構成を示す。図３には、各１つの入力ポート１１０及び入力ｃｈ１３０が備える信号処理機能の構成を示している。
図３に示すように、入力ポート１１０は、入力ポート１１０に入力する音響信号を処理する信号処理手段としてヘッドアンプ１１１とイコライザ１１２を備えている。
【００２５】
これらのうち、ヘッドアンプ１１１は、設定されているゲインに従って音響信号のレベルを調整する機能を備える。
イコライザ１１２は、音響信号の周波数特性を調整する機能を備える。このイコライザ１１２は、ユーザが複数の周波数バンドについてゲインを直接操作可能なグラフィックイコライザとして構成したり、ユーザがＱ値、中心周波数及びゲインのパラメータを設定して、そのパラメータに基づき音響信号を加工するパラメトリックイコライザとして構成したりすることができる。
【００２６】
入力ポート１１０は、これら以外に、ＡＤ変換前のアナログ音響信号の特性を調整するための信号処理手段を備えていてもよい。いずれにせよ、入力ポート１１０が備える信号処理手段は、入力ポート１１０に接続され入力音響信号を供給する機器（マイクや音響信号再生装置等）の特性に依存する音響信号の特性を補正して、機器に依存しない共通の特性を持つ入力音響信号を生成するために用いることが想定される。しかし、他の目的で使用してもよい。また、機器は、実際には入力ポート１１０と対応する端子に接続されるが、説明を簡単にするため、入力ポート１１０に接続される、ということにする。以下も同様である。
【００２７】
また、入力ｃｈ１３０は、入力パッチ１２０により結線された入力ポート１１０から供給される音響信号を処理する信号処理手段として、イコライザ１３１、コンプレッサ１３２及びレベル調整部１３３を備えている。レベル調整部１３３の出力は、各系統のミキシングバス１４０へ、系統毎のオンオフ制御部を介して供給される。
イコライザ１３１は、イコライザ１１２と同様、音響信号の周波数特性を調整する機能を備える。ただし、調整可能なパラメータの数や構成がイコライザ１１２と同じである必要はない。
【００２８】
コンプレッサ１３２は、入力する音響信号のレベルに応じて動的にレベル調整を行うことにより音響信号のダイナミックレンジを調整するレベル調整機能を備える。入力音響信号のレベルと、ゲインとの関係をパラメータとして設定可能である。
レベル調整部１３３は、設定されているゲインに従って音響信号のレベル調整を行うレベル調整機能を備える。
【００２９】
これらの、入力ｃｈ１３０が備える信号処理手段は、入力ポート１１０において特性が調整された、入力音響信号を供給する機器に依存しない共通の特性を持つ音響信号に対し、その音響信号の用途に合った特性を付与するために用いることが想定される。しかし、他の目的で使用してもよい。なお、用途とは、例えば音楽のジャンルや、楽器（ボーカルも含む）の種類等である。
以上の各部の信号処理機能は、ＤＳＰ１７が、デジタルミキサ１０の動作に反映させるものとしてメモリ１２に記憶された所定のパラメータの値を読み出し、その値に従って動作することにより実現される。
【００３０】
このパラメータの値は、基本的にはユーザの操作に従ってＣＰＵ１１が設定するものである。
しかし、デジタルミキサ１０においては、これと別に、１つの入力ポート１１０の信号処理手段が使用するパラメータの値のセットを、入力ポート１１０に接続される機器と対応づけたプリセットとして予め用意しておき、そのプリセットを用いて一括設定できるようにしている。
【００３１】
図４に、デジタルミキサ１０が記憶するプリセットの例を示す。
図４に示すのは、プリセットの情報を格納するプリセットテーブルであり、このテーブルはメモリ１２に記憶される。
テーブル中、「Ｎｏ．」はプリセットを識別するための識別情報であるプリセット番号を示す。
「機器」は、入力ポート１１０に接続される機器の機種を示す。
【００３２】
「ジャンル」は、入力ポート１１０から入力する音響信号に係る音楽のジャンルを示す。同じ機器から入力する信号でも、ジャンルに応じて目標とする「共通の特性」が異なることも考えられるため、ジャンルにも対応づけてプリセットを用意するようにしたものである。しかし、「ジャンル」の項目を設けることは必須ではない。
「プリセット名」は、プリセットの名称であり、ユーザがプリセットを識別できるようにするためのものである。
「パラメータ」は、入力ポート１１０の信号処理手段が使用するパラメータのセットである。
以上のプリセットテーブルにおいて、１行分のデータが、１つのプリセットのデータである。
【００３３】
デジタルミキサ１０は、デジタルミキサ１０のメーカーや入力ポート１１０に接続される機器のメーカー等が提供するプリセットのデータを、記録媒体から読み出したりネットワーク経由でダウンロードしたりして取得し、プリセットテーブルに登録することができる。
また、ある時点である入力ポートの動作に反映させるものとして設定されているパラメータの値のセットを、ユーザの指示に従ってプリセットとして登録することもできる。この場合、「プリセット名」はユーザが任意に指定する。「機器」及び「用途」は、登録時点でデジタルミキサ１０に設定されている、接続先機器やデジタルミキサ１０の用途等から自動的に取得できる場合には、自動的に設定するとよい。そうでない場合は、これらの項目もユーザの内容もユーザが指定する。
【００３４】
次に、デジタルミキサ１０において、プリセットを用いた入力ポート１１０のパラメータの設定は、ユーザが直接プリセットを指定して行うことができる。
図５に、この指定を行うためのプリセット設定画面の例を示す。
図５に示すプリセット設定画面２００は、ユーザの指示に従ってＣＰＵ１１が表示器１４に表示させるＧＵＩであり、プリセット指定部２１０、ＯＫボタン２２１及びキャンセルボタン２２２を備える。
【００３５】
これらのうちプリセット指定部２１０は、各入力ポート１１０について、その入力ポート１１０の信号処理手段のパラメータの設定に用いるプリセットの指定を受け付けるための領域である。プリセット指定部２１０は、入力ポート毎にプリセットを選択するためのプルダウンメニューを備え、ユーザは、図４に示したプリセットテーブルに登録されたプリセットのいずれかを、該当する入力ポートにおけるパラメータの設定に用いるプリセットとして指定することができる。このとき、プリセットの選択肢は、プリセットテーブルに登録されたプリセット名により表示する。
プリセット指定部２１０におけるプリセットの指定は、指定したプリセットと対応する機器を入力ポート１１０に接続する旨の設定であると捉えることもできる。
【００３６】
また、このプリセット指定部２１０は適宜スクロール可能である。また、３番目の入力ポートについて示したように、プリセットを使用しない旨の指定も可能である。各入力ポートについてのプルダウンメニューの初期値は、プリセットを使用しない旨の指定であるとよい。
ＯＫボタン２２１は、プリセット指定部２１０における指定を確定させてプリセット設定画面２００を閉じるためのボタン、キャンセルボタン２２２は、プリセット指定部２１０における指定を廃棄してプリセット設定画面２００を閉じるためのボタンである。
【００３７】
次に、図６に、プリセット設定画面２００においてＯＫボタン２２１が押下された場合にＣＰＵ１１が実行する処理のフローチャートを示す。
ＣＰＵ１１は、プリセット設定画面２００においてＯＫボタン２２１が押下されたことを検出すると、図６に示す処理を開始し、１番目から順に全ての入力ポート１１０を処理対象としつつ、ステップＳ１２及びＳ１３の処理を繰り返す（Ｓ１１，Ｓ１４，Ｓ１５）。すなわち、処理対象の入力ポート１１０についてプリセット指定部２１０においていずれかのプリセットが指定されていれば（Ｓ１２のＹｅｓ）、処理対象の入力ポート１１０が備える信号処理手段のパラメータの値を、その指定されたプリセットに含まれるパラメータセットに従って設定する（Ｓ１３）。いすれのプリセットも指定されていない場合（Ｓ１２のＮｏ）、処理対象の入力ポート１１０のパラメータの値は変更しない。
【００３８】
以上の処理により、ユーザは、入力ポート１１０が備える信号処理手段のパラメータの値を、予め登録したプリセットを用いて設定することができる。このとき、プリセット名を参照して、入力ポート１１０に接続した機器と対応するプリセットを指定することにより、入力ポート１１０における処理結果の音響信号を、接続した機器の特性によらないものとすることができる。従って、入力ポート１１０に接続した機器を変更した場合にでも、それに合わせて使用するプリセットを変更するだけで、入力ｃｈ１３０における信号処理のパラメータの値を変更しなくても、機器の変更前と同様な処理結果を得ることができる。
なお、図６の処理に設定したパラメータの値は、その後、ユーザの別途の指示に従って個別に編集可能である。
【００３９】
デジタルミキサ１０は、以上の他、入力ポート１１０に接続される機器を特定した場合に、プリセットを自動で適用する機能も備えている。この特定は、たとえば、回線表に基づき行うことができる。
回線表とは、各入力ポート１１０について、その入力ポート１１０に接続される機器の機種と、その用途等を規定する情報である。これらの情報は、ユーザがデジタルミキサ１０に接続される機器の情報を総合的に把握するために用いるものであるが、これを電子データとして作成し、デジタルミキサ１０に読み込ませて記憶させ、機器名の表示等に用いることができる。また、読み込ませた後でユーザが編集することもできる。
【００４０】
図７に、回線表のデータ例を示す。
図７に示す回線表は、「入力ポート」、「機器」、「用途」をはじめとする種々の情報を含む。
これらのうち、「入力ポート」は、入力ポート１１０の番号を示す。
「機器」は、該当の入力ポート１１０に接続される機器の機種を示す。この機種は、プリセットテーブルにおける「機種」の情報を用いて記載することが望ましい。
【００４１】
「用途」は、該当の入力ポート１１０から入力される音響信号の用途を示す。この用途は、プリセットテーブルにおける「ジャンル」を用いて記載しても、そうでなくてもよい。
なお、回線表のデータには、全ての入力ポート１１０に関する情報が含まれている必要はないし、任意の項目が空欄（情報なし）であってもよい。
【００４２】
次に、図８に、回線表のデータが更新された場合にＣＰＵ１１が実行する処理のフローチャートを示す。なお、この処理は、プリセットを用いたパラメータの設定に関する処理のみを示したものであり、この他にも、更新したデータを活用するための処理を同時に又は連続して行って差し支えない。
ＣＰＵ１１は、記憶している回線表のデータが更新されたことを検出すると、図８に示す処理を開始する。ユーザの指示に従い又は自動的に、新たな回線表のデータを読み込んだり既に記憶している回線表のデータを編集したりした場合に、この更新が行われたことになる。また、これらの読み込みや編集を行う場合に、ＣＰＵ１１は回線表のデータの入力を受け付ける受付手段として機能する。
【００４３】
図８の処理において、ＣＰＵ１１は、１番目から順に全ての入力ポート１１０を処理対象としつつ、ステップＳ２２乃至Ｓ２７の処理を繰り返す（Ｓ２１，Ｓ２８，Ｓ２９）。
すなわち、処理対象の入力ポートについて、更新後の回線表に「機器」の指定がある場合（Ｓ２２のＹｅｓ）、その機器と対応するプリセットがプリセットテーブルに登録されているか否か判断する（Ｓ２３）。
【００４４】
そして、登録があって（Ｓ２３でＹｅｓ）、１つのみ（Ｓ２４でＹｅｓ）であれば、処理対象の入力ポート１１０が備える信号処理手段のパラメータの値を、該当のプリセットに含まれるパラメータセットに従って設定する（Ｓ２５）。
登録が複数あれば（Ｓ２４でＮｏ）、その中から適当な手法で１つのプリセットを選択し（Ｓ２６）、その選択したプリセットに従って同様にパラメータの値の設定を行う（Ｓ２７）。例えば、図４のプリセットテーブルがあって、「ＳＭ５８」の機器が設定された場合等である。選択の手法としては、ユーザに候補を提示して選択させる、「用途」も考慮して選択する、番号の小さい方を優先する、等、任意の手法を採用すればよい。
また、ステップＳ２３で登録がない場合、処理対象の入力ポート１１０について、パラメータの値の設定は行わない。
【００４５】
以上の処理により、デジタルミキサ１０は、特定手段として機能して入力ポート１１０に接続される機器を回線表のデータに基づき特定すると共に、パラメータ設定手段として機能して、入力ポート１１０が備える信号処理手段のパラメータの値を、入力ポート１１０に接続する機器と対応した値に、自動的に設定することができる。従って、ユーザは、入力ポート１１０に接続する機器の機種に応じて入力ｃｈ１３０における信号処理のパラメータの値を変更しなくても、機種によらず同様な処理結果を得ることができる。
【００４６】
なお、ユーザが手動で入力ポート１１０に接続する機器の指定を変更した場合にも、図８のステップＳ２３乃至Ｓ２７と同様な処理を行うとよい。この場合、指定の変更に係る入力ポート１１０が、処理対象の入力ポートである。また、ＣＰＵ１１は、ユーザの指定に基づき、入力ポート１１０に接続される機器を特定する。
この場合の機器の指定は、例えば図９に示すような機器指定画面３００において、機器指定部３１０に、各入力ポート１１０に接続される機器の機種名の入力することにより行うことができる。
【００４７】
これらの他、デジタルミキサ１０が、入力ポート１１０に接続された機器の機種を自動検出可能である場合、機種の検出に応じて、図８のステップＳ２３乃至Ｓ２７と同様な処理により、検出した機種と対応するプリセットを用いて自動的に入力ポート１１０が備える信号処理手段のパラメータの値を設定してもよい。この場合、ＣＰＵ１１は、自動検出の結果に基づき、入力ポート１１０に接続される機器を特定する。
【００４８】
以上で実施形態の説明を終了するが、装置の構成、画面の具体的な構成、信号処理手段の構成、データの構成、具体的な処理の手順、操作方法、プリセットを用いて設定可能なパラメータの種類などが、上述の実施形態で説明したものに限られないことはもちろんである。
【００４９】
例えば、入力ポート１１０のイコライザ１１２と入力ｃｈ１３０のイコライザ１３１について、個別に周波数特性調整の処理を行うことは必須ではない。例えば、ある入力ポート１１０のイコライザ１１２のパラメータから定まる調整量と、その入力ポート１１０の結線先である入力ｃｈ１３０のイコライザ１３１のパラメータから定まる調整量とを合成した調整量に係る周波数特性調整処理を、入力ｃｈ１３０のイコライザ１３１において行うようにしてもよい。バンド数等の関係で合成した調整量に係る処理をそのまま行うことが難しい場合、適宜近似を行ってもよい。
【００５０】
このようにしても、パラメータを入力ポート１１０側と入力ｃｈ１３０側で個別に設定できれば、最終的に得られる処理結果は、イコライザ１１２とイコライザ１３１とで個別に処理を行う場合と概ね同様である。また、設定作業負荷の軽減の効果も、同様に得られる。一方、周波数特性調整処理の処理負荷は、個別に処理を行う場合に比べて軽減できる。したがって、このような構成は、ＤＳＰ１７の処理能力が低い場合に有用である。
また、入力ポート１１０や入力ｃｈ１３０に設ける信号処理手段は、図４に示したものに限られない。
【００５１】
さらに、プリセットを用いて設定するパラメータは、入力ポート１１０が備える信号処理手段の一部についてのみでよい。例えばイコライザ１１２のパラメータのみとしてもよい。接続される機器の種類に依存しない特性に関する調整や、機器の種類以外に基づき定める方が望ましい特性に関する調整についてのパラメータは、むしろ、上述した実施形態の趣旨での、プリセットを用いた設定の対象としないことが望ましい。
【００５２】
また、上述した実施形態においては、入力ポート１１０に接続される機器の機種と対応づけてプリセットを用意した。しかし、機器の個体毎の特性差が無視できない場合、機器の個体と対応づけてプリセットを用意してもよい。この場合、入力ポート１１０に接続される機器の特定も、個体単位で行い、その個体と対応するプリセットを用いてパラメータの設定を行う。
【００５３】
また、この発明は、マルチトラックレコーダやサンプリング機能付きシンセサイザ等、デジタルミキサ以外の音響信号処理装置に適用することも可能である。
また、以上説明してきたプリセットを用いたパラメータの設定に係る機能は、そのパラメータの値を使用して動作する装置（上述した実施形態ではデジタルミキサ１０）以外の装置に設けることができる。例えば、デジタルミキサ１０等のリモートコントローラに設けることができる。この場合、リモートコントローラは、専用のハードウェアを有していてもよいし、スマートフォン、タブレットコンピュータ、ＰＣ（パーソナルコンピュータ）等の汎用コンピュータであってもよい。また、複数の装置を協働させてプリセットを用いたパラメータの設定に係る機能を実現させてもよい。
また、以上述べてきた構成及び変形例は、矛盾しない範囲で適宜組み合わせて適用することも可能である。
【産業上の利用可能性】
【００５４】
以上の説明から明らかなように、この発明によれば、入力ポートから入力される音響信号を処理する信号処理チャンネルを備える音響信号処理装置において、入力ポートに接続する機器を変更した場合の、設定変更の手間を軽減することができる。
従って、この発明を適用することにより、パラメータ設定の操作性を向上させることができる。
【符号の説明】
【００５５】
１０…デジタルミキサ、１１…ＣＰＵ、１２…メモリ、１３…通信Ｉ／Ｆ、１４…表示器、１５…操作子、１６…波形Ｉ／Ｏ、１７…ＤＳＰ、１８…システムバス、１１０…入力ポート、１１１…ヘッドアンプ、１１２…イコライザ、１２０…入力パッチ、１３０…入力ｃｈ、１３１…イコライザ、１３２…コンプレッサ、１３３…レベル調整部、１４０…ミキシングバス、１５０…出力ｃｈ、１６０…出力パッチ、１７０…出力ポート、２００…プリセット設定画面、２１０…プリセット指定部、２２１…ＯＫボタン、２２２…キャンセルボタン
【図１】
2016066905.tif 000003
【図２】
2016066905.tif 000004
【図３】
2016066905.tif 000005
【図４】
2016066905.tif 000006
【図５】
2016066905.tif 000007
【図６】
2016066905.tif 000008
【図７】
2016066905.tif 000009
【図８】
2016066905.tif 000010
【図９】
2016066905.tif 000011